(57)【特許請求の範囲】
【請求項１】
フィルタにより流体の濾過を行う濾過装置の一部として、前記フィルタを内蔵するフィルタ容器を着脱可能に取り付ける着脱装置であって、
前記フィルタ容器は、その一端に前記フィルタと連通する管路を内部に有し前記フィルタ容器から突出する第一取付突起を有していて、
前記第一取付突起は回転中心軸を有し、
前記第一取付突起の外周面は、前記回転中心軸と垂直な断面において前記回転中心軸を中心とする円弧の少なくとも一部となるように形成される少なくとも２つの曲面と、前記少なくとも２つの曲面のそれぞれと結合する２つの面と、を有し、
前記着脱装置は、前記第一取付突起を保持し、前記流体の管路が結合されている第一取付突起保持部を有し、
前記第一取付突起保持部は、前記外周面の曲面と対応する内周面と、前記内周面と前記第一取付突起保持部の外側と連通する切欠きであって、その切欠きの幅は前記２つの曲面の円弧の弦のうち長い方の弦よりも大きな幅を有している切欠きと、を備える着脱装置。
【請求項２】
請求項１に記載の着脱装置であって、
前記管路は第一取付突起保持部に結合されて第一取付突起保持部の前記内周面に開口を形成し、
前記第一取付突起の前記少なくとも２つの曲面のいずれか一方には前記フィルタに連通するフィルタ容器の管路のフィルタ容器管路孔が形成され、
前記第一取付突起保持部の前記開口と前記フィルタ容器管路孔とは、前記回転中心軸回りに前記フィルタ容器を回転させることにより、前記第一取付突起保持部の前記内周面の任意の箇所において第一取付突起保持部の前記開口と前記フィルタ容器の前記フィルタ容器管路孔とが合致し、前記任意の箇所以外の箇所では第一取付突起保持部の前記開口と前記フィルタ容器の前記フィルタ容器管路孔とが合致しない着脱装置。
【請求項３】
請求項１に記載の着脱装置であって、前記第一取付突起保持部の前記外周面の曲面と対応する内周面と、前記第一取付突起保持部の外側と連通する前記切欠きとの接合部は曲面である着脱装置。
【請求項４】
請求項１から３のいずれか一項に記載の着脱装置であって、
前記第一取付突起はフランジを有し、そのフランジは、その直径が前記第一取付突起保持部の前記内周面の直径よりも大きい部分を有する着脱装置。
【請求項５】
請求項１に記載の着脱装置であって、
前記フィルタ容器は、さらにその他端に前記フィルタと連通する管路を内部に有し前記フィルタ容器から突出する第二取付突起を有していて、
前記第二取付突起は前記回転中心軸と同軸であって、
前記第二取付突起の外周面は、前記回転中心軸と垂直な断面において前記回転中心軸を中心とする円弧の少なくとも一部となるように形成される少なくとも２つの曲面と、前記少なくとも２つの曲面のそれぞれと結合する２つの面と、を有し、
前記着脱装置は、前記第二取付突起を保持し、前記流体の管路が結合されている第二取付突起保持部を有し、
前記第二取付突起保持部は、前記第二取付突起の前記外周面の曲面と対応する内周面と、前記第二取付突起の前記内周面と前記第二取付突起保持部の外側と連通する切欠きであって、その切欠きの幅は前記２つの曲面の円弧の弦のうち長い方の弦よりも大きな幅を有している切欠きと、を備える着脱装置。
【請求項６】
請求項３に記載の着脱装置であって、
前記第二取付突起保持部の前記管路は第二取付突起保持部に結合されて第二取付突起保持部の前記内周面に開口を形成し、
前記第二取付突起の前記少なくとも２つの曲面のいずれか一方には前記フィルタに連通するフィルタ容器の管路のフィルタ容器管路孔が形成され、
前記第二取付突起保持部の前記開口と前記フィルタ容器管路孔とは、前記回転中心軸回りに前記フィルタ容器を回転させることにより、前記第二取付突起保持部の前記内周面の任意の箇所において第二取付突起保持部の前記開口と前記フィルタ容器の前記フィルタ容器管路孔とが合致し、前記任意の箇所以外の箇所では第二取付突起保持部の前記開口と前記フィルタ容器の前記フィルタ容器管路孔とが合致しない着脱装置。
【請求項７】
請求項５に記載の着脱装置であって、前記第二取付突起保持部の前記外周面の曲面と対応する内周面と、前記第二取付突起保持部の外側と連通する前記切欠きとの接合部は曲面である着脱装置。
【請求項８】
請求項５から７のいずれか一項に記載の着脱装置であって、
前記第二取付突起はフランジを有し、そのフランジは、その直径が前記第二取付突起保持部の前記内周面の直径よりも大きい部分を有する着脱装置。
【請求項９】
請求項１から８のいずれか一項に記載の着脱装置であって、
前記第一取付突起保持部は、前記第一取付突起保持部の前記内周面に形成された前記開口とは別に、流体が流れる他の開口を備え、
前記第一取付突起保持部の前記他の開口と前記フィルタ容器管路孔とが、流体的に接続可能な着脱装置。
【発明の詳細な説明】
【技術分野】
【０００１】
本願発明は、たとえば、内部にフィルタ等が内蔵されるフィルタ容器の着脱システムに関する。
【背景技術】
【０００２】
流体の濾過を目的とした装置の管路では、その管路の一部に、フィルタ等が内蔵され、着脱可能に配置されるフィルタ容器を使用する場合がある。たとえば、所定量の濾過が終了した際などに、古いフィルタ容器は取り外されて新しいフィルタ容器に交換される。このような管路では、上流側の管路の端部と下流側の管路の端部との間に、管路の一部を欠いたマニホールドを具備している。フィルタ容器は、この上流側の管路の端部と下流側の管路の端部との間に、着脱可能に取り付けることが可能な構造を有している。フィルタ容器には、内部に流路が形成され、その流路の両端に流路入口と流路出口を有している。流路には、フィルタ等が配置される。一般に、上流側の管路の端部と下流側の管路の端部は、マニホールドの一部として構成されていて、フィルタ容器がマニホールドに取り付けられると、流体が流入するフィルタ容器の流路入口が上流側管路の端部と接合し、流体が排出される流路出口が下流側管路の端部と接合する。これで、流路の一部を欠いている管路にフィルタ容器内の流路が結合され、流れ回路システムの管路が完成する。たとえば、特許文献１から特許文献３には、ホルダとしてのマニホールドに、着脱可能なフィルタ容器を取り付ける例が記載されている。【０００３】
特許文献１から特許文献３には、いずれも既設管路の一部として、着脱して交換が可能なフィルタ容器で管路を形成する例が開示されている。特許文献１から特許文献３では、マニホールド側の管路の一端と他端との間の距離が不変である。いずれの特許文献でも、フィルタ容器は、フィルタ容器の一端にフィルタ容器に濾過すべき流体が流れ込む流路入口を有し、その流路入口と反対側のフィルタ容器の他端に流路出口が配置されている。そして、流路入口の延在する方向と、流路出口の延在する方向とが同一方向となっている。【０００４】
特許文献１および２は、フィルタ容器を枢動運動により、マニホールドに取り付ける例である。特許文献１の例では、フィルタ容器は収縮および伸長が可能な構造になっていて、フィルタ容器を縮めた状態で、フィルタ容器の下側の管路端部をマニホールドの枢軸に嵌めこみ、フィルタ容器を縮めた状態で枢動動作によりフィルタ容器の上側をマニホールド内に移動させ、フィルタ容器を伸長させて、フィルタ容器の管路をマニホールドの管路に嵌めこむように結合させる。しかし、フィルタ容器に収縮／伸長の機能を持たせると、フィルタ容器の構造が複雑になり、フィルタ容器の製造のためのコストおよび耐久性の低下の問題が生じる。【０００５】
一方、特許文献２の例では、フィルタ容器には収縮／伸長の機能がなく、フィルタ容器の下側の管路端部を球体として、その球体を枢軸とし、枢動動作によりフィルタ容器の上側をマニホールド内に移動させて、フィルタ容器の管路をマニホールドの管路に嵌めこむように結合させるものである。しかし、このような枢動動作によるフィルタ容器の取り付けでは、枢軸と反対側端の可動域が大きいため、シール部材の摺擦距離が長く、シール部材の摩耗が大きくなって、発塵の問題が生じる。【０００６】
これに対し、特許文献３では、枢動動作を利用せずに、フィルタ容器を着脱可能に構成する例が開示されている。特許文献３では、フィルタ容器は、マニホールドの上流側の管路の端部と下流側の管路の端部の間に、それらの管路を結ぶ仮想直線に対して垂直方向から、またフィルタ容器をフィルタ容器の流路入口と流路出口の方向がその仮想直線の方向となる方向に、並進動作で、装着される。
【先行技術文献】
【特許文献】
【０００７】
【特許文献１】米国特許第５３９７４６２号公報
【特許文献２】特開２００７−２５３１５４号公報
【特許文献３】米国特許出願公開２０１３／０２２８５０９号公報
【発明の概要】
【発明が解決しようとする課題】
【０００８】
流体の濾過を目的とした装置において、フィルタ容器をマニホールドに着脱可能に取り付けることを可能とするためには、流体の漏れを防ぐために、フィルタ容器の流体出入口とマニホールドの流体出入口との接合部が、高い密封度を有している必要がある。しかし、特許文献３に開示されるように、マニホールド側の管路の一端と他端との間の距離が不変である上にフィルタ容器を並進動作で取り付けるような着脱装置において、フィルタ容器の流体出入口とマニホールドの流体出入口との接合部の高い密着度を確保すると、フィルタ容器の流体出入口とマニホールドの流体出入口との接合部の摩擦が大きくなり、着脱作業が困難になる。したがって、マニホールド側の管路の一端と他端との間の距離が不変である上にフィルタ容器を並進動作で取り付けるような着脱装置において、高い密着度を確保しながら容易な着脱をすることが求められる。特に、フィルタ容器を脱着させる際に、簡易な方法で、取り付けられることが望まれる。
【課題を解決するための手段】
【０００９】
フィルタにより流体の濾過を行う濾過装置の一部として、前記フィルタを内蔵するフィルタ容器を着脱可能に取り付ける着脱装置であって、前記フィルタ容器は、その一端に前記フィルタと連通する管路を内部に有し前記フィルタ容器から突出する第一取付突起を有していて、前記第一取付突起は回転中心軸を有し、前記第一取付突起の外周面は、前記回転中心軸と垂直な断面において前記回転中心軸を中心とする円弧の少なくとも一部となるように形成される少なくとも２つの曲面と、前記少なくとも２つの曲面のそれぞれと結合する２つの面と、を有し、前記着脱装置は、前記第一取付突起を保持し、前記流体の管路が結合されている第一取付突起保持部を有し、前記第一取付突起保持部は、前記外周面の曲面と対応する内周面と、前記内周面と前記第一取付突起保持部の外側と連通する切欠きであって、その切欠きの幅は前記２つの曲面の円弧の弦のうち長い方の弦よりも大きな幅を有している切欠きと、を備える着脱装置により、解決する。
【発明の効果】
【００１０】
本発明により、並進動作およびフィルタ容器の回転動作のみでフィルタ容器の着脱が可能となる。
【図面の簡単な説明】
【００１１】
【図１】本発明が適用される実施の形態１の着脱装置であって、フィルタ容器をマニホールドに装着前の状態を示している。
【図２】本発明が適用される実施の形態１の着脱装置であって、フィルタ容器をマニホールドに装着後であって固定前の状態を示している。
【図３】本発明が適用される実施の形態１の着脱装置であって、フィルタ容器をマニホールドに装着後であって固定後の状態を示している。
【図４Ａ】図１の断面４Ａ−４Ａを示した図である。
【図４Ｂ】図２の断面４Ｂ−４Ｂを示した図である。
【図４Ｃ】図３の断面４Ｃ−４Ｃを示した図である。
【図５Ａ】本発明の一の実施の形態であって、図４Ｂに対応した図であって、第一取付突起を第一取付突起保持部の切欠きから挿入された状態を示した図である。
【図５Ｂ】図５Ａの実施の形態において、図４Ｂに対応した図であって、第一取付突起２１の第一管路２ａが内周面３１ａの開口３１ｂと合致した状態を示した図である。
【図５Ｃ】本発明の他の実施の形態であって、図４Ｂに対応した図であって、第一取付突起を第一取付突起保持部の切欠きから挿入された状態を示した図である。
【図５Ｄ】図５Ｃの実施の形態において、図４Ｂに対応した図であって、第一取付突起２１の第一管路２ａが内周面３１ａの開口３１ｂと合致した状態を示した図である。
【図６】本発明が適用される実施の形態３の着脱装置であって、フィルタ容器をマニホールドに装着前の状態を示している。
【図７】本発明が適用される実施の形態３の着脱装置であって、フィルタ容器をマニホールドに装着後であって固定前の状態を示している。
【図８】本発明が適用される実施の形態３の着脱装置であって、フィルタ容器をマニホールドに装着後であって一の方向への流路に対しての固定後の状態を示している。
【図９】図８の断面９−９を示した図である。
【図１０】本発明が適用される実施の形態３の着脱装置であって、フィルタ容器をマニホールドに装着後であって他の方向への流路に対しての固定後の状態を示している。
【発明を実施するための形態】
【００１２】
（実施の形態１）
図１から図５Ａから図５Ｄを参照して、本願発明の実施の形態１について説明する。図１は、本発明の実施の形態１において、フィルタにより流体の濾過に使用する濾過装置におけるフィルタ容器着脱装置１を示している。フィルタ容器着脱装置１は、マニホールド３に取り付けられていて、フィルタが内蔵されているフィルタ容器２の着脱をする着脱装置である。図１は、フィルタ容器２が分離している状態を示している。
【００１３】
フィルタ容器２は、その内部空間にフィルタ（不図示）が内蔵されたカプセル形状の容器である。フィルタ容器２は、フィルタ容器２から突出するように延在する第一取付突起２１を有している。また、フィルタ容器２は、第一取付突起２１が配置される側と反対側の端部に第二取付突起２２を有している。フィルタ容器２の内部のフィルタが配置されている内部空間（不図示）には第一管路２ａと第二管路２ｂとが接続されている。第一管路２ａはその内部空間（不図示）から第一取付突起２１内に配設され、第二管路２ｂはその内部空間から第二取付突起２２内に配設される。
【００１４】
フィルタ容器２は、フィルタ容器２から第一取付突起２１と第二取付突起２２とに向かう方向に画定される回転中心軸２ｃを有している。その回転中心軸は、第一取付突起２１の回転中心軸として、および第一取付突起２１の回転中心軸と同心となる第二取付突起２２の回転中心軸として、画定される。
【００１５】
第一取付突起２１は、回転中心軸２ｃと垂直な断面において回転中心軸２ｃを中心とする円の弧の少なくとも一部となるように形成される少なくとも２つの曲面２１ａと、その曲面２１ａのそれぞれと結合する２つの面２１ｂとを有する。同様に、第二取付突起２２は、回転中心軸２ｃと垂直な断面において回転中心軸２ｃを中心とする円の弧の少なくとも一部となるように形成される少なくとも２つの曲面２２ａと、その曲面２２ａのそれぞれと結合する２つの面２２ｂとを有する。代表的には、２つの面２１ｂのそれぞれと、２つの面２２ｂのそれぞれは平行であるが、角度を有するように設定しても良い。
【００１６】
第一取付突起２１内の第一管路２ａは、少なくとも２つの曲面２１ａの一方にフィルタ容器管路孔２１ｃを形成するように連通する。また、第二取付突起２２内の第二管路２ｂも、同様に、２つの曲面２２ａの一方の任意の箇所にフィルタ容器管路孔２２ｃを形成するように連通する。代表的には、図１に示すように、フィルタ容器管路孔２１ｃが形成されている側に対応する方向の曲面２２ａにフィルタ容器管路孔２２ｃを形成するように連通させる。すなわち、フィルタ容器管路孔２１ｃとフィルタ容器管路孔２２ｃとを同一の側に形成させる。そして、フィルタ容器管路孔２１ｃとフィルタ容器管路孔２２ｃとを、回転中心軸２ｃまわりに同一の角度の位置に配置することができる。しかし、この実施の形態では、フィルタ容器管路孔２１ｃが形成されている側と対応する方向の曲面２２ａにフィルタ容器管路孔２２ｃを形成するように連通させているが、これは反対側の曲面２２ａに形成させてもよい。また、フィルタ容器管路孔２１ｃとフィルタ容器管路孔２２ｃとを、回転中心軸２ｃまわりに異なる角度の位置に配置してもよい。
本明細書では、フィルタ容器管路孔２１ｃとフィルタ容器管路孔２２ｃとを、回転中心軸２ｃまわりに同一の側の面および同一の角度の位置に配置する例で説明する。たとえば、第一管路２ａと第二管路２ｂとは、それぞれ、内部空間から第一取付突起２１と第二取付突起２２とのそれぞれに向かって延在し、そこからたとえば垂直に、曲面２１ａおよび曲面２２ａに向かって、曲がるようにする。ただし、垂直でなくても曲面２１ａと曲面２２ａに、フィルタ容器管路孔２１ｃとフィルタ容器管路孔２２ｃとがそれぞれ形成されればよい。フィルタ容器管路孔２１ｃとフィルタ容器管路孔２２ｃの周囲には、フィルタ容器管路孔２１ｃとフィルタ容器管路孔２２ｃとから流体が外側に流れ出さないようなガスケットやパッキンなどのシール材２１ｄが配置される。この実施の形態では、フィルタ容器管路孔２１ｃが形成されている側と対応する方向の曲面２２ａにフィルタ容器管路孔２２ｃを形成するように連通させているが、これは反対側の曲面２２ａに形成させてもよい。
【００１７】
たとえば、本実施の形態のように、フィルタ容器２において、第一取付突起２１と第二取付突起２２との向きは、フィルタ容器２の回転中心軸２ｃ周りに同じ角度を向いているように設定する。また、フィルタ容器管路孔２１ｃとフィルタ容器管路孔２２ｃとを、回転中心軸２ｃまわりに同一の角度の位置に配置することもできる。ただし、この角度は、違えることも可能である。さらに、また、第一取付突起２１内の第一管路２ａのフィルタ容器管路孔２１ｃの位置と、第二取付突起２２内の第二管路２ｂのフィルタ容器管路孔２２ｃの位置とを、フィルタ容器２の回転中心軸２ｃ周りに任意の方向（異なる角度）を向いているように設定できる。本実施の形態では、一例として、フィルタ容器管路孔２１ｃの位置と、フィルタ容器管路孔２２ｃの位置とも、代表的にはフィルタ容器２の回転中心軸２ｃ周りに任意の方向（同じ角度）を向いている。
【００１８】
マニホールド３は、流体の濾過を行う濾過装置としての流れ回路の一部である。濾過される流体は、マニホールド３は、上流管路４と下流管路５を有している。上流管路４は第一取付突起保持部３１に接続され、下流管路５は第二取付突起保持部３２に接続されている。流れ回路は、第一取付突起保持部３１と、第二取付突起保持部３２との間に、流路の欠落部を有していて、マニホールド３に取り付けられるフィルタ容器２の第一管路２ａおよび第二管路２ｂとフィルタ容器２の内部空間とがその欠落部を補う。この実施の形態では、上流管路４を鉛直方向下側と下流管路５を鉛直方向上側とした実施の形態として説明しているが、逆に鉛直方向上側を上流管路４と鉛直方向下側を下流管路５としてもよい。
【００１９】
第一取付突起保持部３１は、その中央部に円筒状の貫通孔を有している。第一取付突起保持部３１は、その貫通孔と第一取付突起保持部３１の外側とを連通する切欠き３１ｃを有している。その貫通孔の内周面３１ａの形状は、フィルタ容器２をマニホールド３に取り付けた状態におけるフィルタ容器２の回転中心軸２ｃに対して垂直な任意の断面が、第一取付突起２１の中央には前記回転中心軸２ｃを中心とする円の弧となっている。その円の径は、ほぼ少なくとも２つの曲面２１ａの一方と他方との間の面間距離となるように設定される。さらに、貫通孔の内周面３１ａの形状は、詳細には、少なくとも２つの曲面２１ａの一方には、シール材２１ｄが配置されているので、このシール材２１ｄが押しつぶされて少なくとも２つの曲面２１ａ貫通孔の内周面３１ａで挟持されるような形状である。切欠き３１ｃの幅は、少なくとも２つの曲面２１ａの円弧の弦の長さが等しいときはその弦の長さ、少なくとも２つの曲面２１ａの円弧の弦の長さが異なるときは長い方の弦の長さ、よりも大きな幅を有している。図１から図５に示す本実施の形態では、少なくとも２つの曲面２１ａの円弧の弦の長さが等しいので、その切欠きの開口幅は、曲面２１ａの円弧の弦の長さとなっている。第一取付突起２１はフランジ２１ｅを有し、フランジ２１ｅの直径は、第一取付突起保持部３１の内周面３１ａの直径よりも大きい。同様に、第二取付突起２２はフランジ２２ｅを有し、フランジ２２ｅの直径は、第一取付突起保持部３２の内周面３２ａの直径よりも大きい。
【００２０】
一方、第二取付突起保持部３２の形状も同様である。第二取付突起保持部３２は、その中央部に円筒状の貫通孔を有している。第二取付突起保持部３２は、その貫通孔と第二取付突起保持部３２の外側とを連通する切欠き３２ｃを有している。その貫通孔の内周面３２ａの形状は、フィルタ容器２をマニホールド３に取り付けた状態におけるフィルタ容器２の回転中心軸２ｃに対して垂直な任意の断面において、第二取付突起２２の中央には回転中心軸２ｃを中心とする円の弧となっている。切欠き３１ｃの幅は、少なくとも２つの曲面２２ａの円弧の弦の長さが等しいときはその弦の長さ、少なくとも２つの曲面２２ａの円弧の弦の長さが異なるときは長い方の弦の長さ、よりも大きな幅を有している。
【００２１】
上流管路４は、第一取付突起保持部３１の内周面３１ａに形成される開口３１ｂに連通している。下流管路５は、第二取付突起保持部３２の内周面３２ａに形成される開口３２ｂに連通している。開口３１ｂと開口３２ｂは、フィルタ容器２をマニホールド３に取り付けた状態において、回転中心軸２ｃ周りに、開口３１ｂと開口３２ｂとがなす角が、フィルタ容器２の第一取付突起２１のフィルタ容器管路孔２１ｃと第二取付突起２２のフィルタ容器管路孔２２ｃとがなす角となるように設定する。代表的には、フィルタ容器２をマニホールド３に取り付けた状態における回転中心軸２ｃ周りに開口３１ｂと開口３２ｂとがなす角は０度または１８０度に設定するのが使用上簡易であるので、この場合には、フィルタ容器２の第一取付突起２１のフィルタ容器管路孔２１ｃと第二取付突起２２のフィルタ容器管路孔２２ｃとがなす角も０度または１８０度と設定する。
【００２２】
続いて、図２、図３および図４Ａから図４Ｃを参照して、フィルタ容器２をマニホールドへ取り付ける方法について、その各状態とともに説明する。図２は、フィルタ容器２をマニホールド３に装着した固定前状態を示している。図３は、フィルタ容器２をマニホールド３に装着した固定後状態を示している。図４Ａ、図４Ｂおよび図４Ｃは、それぞれ、図１の断面４Ａ−４Ａを示した図、図２の断面４Ｂ−４Ｂを示した図および図３の断面４Ｃ−４Ｃを示した図である。
【００２３】
まず、フィルタ容器２をマニホールド３に取り付ける。このとき、フィルタ容器２は、第一取付突起２１を第一取付突起保持部３１の切欠き３１ｃ内に、第二取付突起２２を第二取付突起保持部３２の切欠き３２ｃ内に、それぞれ挿入するように、マニホールド３に取り付ける（図１および図２）。このとき、第一取付突起２１は、切欠き３１ｃの壁面に面２１ｂが沿うように（図４Ａ）、曲面２１ａの一方が第一取付突起保持部３１の内周面３１ａに接触するまで（内周面３１ａにシール部材が配置される場合にはそのシール部材が接触するまで）、挿入される（図４Ｂ）。ここで、「曲面２１ａの一方が第一取付突起保持部３１の内周面３１ａに接触する」とは、曲面２１ａの一部としてシール材２１ｄが第一取付突起保持部３１の内周面３１ａに接触することを含む。このときは、フィルタ容器管路孔２１ｃの位置は、第一取付突起保持部３１の内周面３１ａの開口の位置と、合致していない。このため、この状態では、上流管路４と第一管路２ａとは接続しておらず、上流管路４と第一管路２ａとは流体的に接続していない。第二取付突起保持部３２と第二取付突起２２との関係も同様な手順で取り付けられる。同様に、下流管路５と第二管路２ｂとも流体的に接続していない。
【００２４】
続いて、フィルタ容器２をフィルタ容器２の回転中心軸２ｃ周りに、上流管路４と第一管路２ａとが流体的に接続し、下流管路５と第二管路２ｂとが流体的に接続する位置まで回転する（図４Ｃ）。このとき、シール材２１ｄが第一取付突起保持部３１の内周面３１ａに押しつぶされて、第一取付突起保持部３１の内周面３１ａが第一取付突起２１を挟持する。第二取付突起保持部３２と第二取付突起２２との関係も同様である。この状態で、はじめて上流管路４と第一管路２ａとが接続し、上流管路４と第一管路２ａとは流体的に接続する。流体は、上流管路４から第一管路２ａを経てフィルタ容器２内のフィルタを通って、第二管路２ｂを経て下流管路５へと至る経路が完成する。
【００２５】
図５Ａおよび図５Ｂは、本実施の形態の変形例を説明している。この変形例では、第一取付突起保持部３１の内周面３１ａの形状に違いがある。すなわち、第一取付突起保持部３１の内周面３１ａに突起３１ｅが配置される。突起３１ｅは、回転軸２ｃについて、切欠き３１ｃと反対側の壁面から突出する形状である。突起３１ｅは、第一取付突起２１が第一取付突起保持部３１の切欠き３１ｃから、切欠き３１ｃの壁面に面２１ｂが沿うように挿入された際に、その面２１ｂに沿った面を具備している。すなわち、突起３１ｅは第一取付突起２１が第一取付突起保持部３１の開口３１ｂに向かう側と反対側に移動しないように、逆回転を防止できる位置に配置できる。また、突起３１ｅは、第一取付突起２１が切欠き３１ｃから挿入された後に、第一取付突起２１を第一管路２ａが内周面３１ａの開口３１ｂと合致する位置における面２１ｂに沿った面を具備している。これにより、第一取付突起２１が第一取付突起保持部３１の切欠き３１ｃから挿入された際、突起３１ｅの一方の面が第一取付突起２１の面２１ｂと接触して第一取付突起２１が適正な回転方向に回転するように第一取付突起２１の移動方向を規制し（図５Ａ）、そこから第一取付突起２１を回転させると、突起３１ｅの他方の面が第一取付突起２１の面２１ｂと接触して第一取付突起２１の移動方向を規制し、その箇所にて第一取付突起２１を第一管路２ａが内周面３１ａの開口３１ｂと合致するようになる（図５Ｂ）。
一方、図５Ｃおよび図５Ｄは別の実施の形態の突起３１ｆと突起３１ｇの例である。図５Ａおよび図５Ｂに示した実施の形態では、一つの突起３１ｅで、第一取付突起２１の二つの方向の移動を規制した。図５Ｃおよび図５Ｄに示した実施の形態では、突起３１ｆおよび突起３１ｇの二つの突起で、それぞれの方向の移動を規制する。すなわち、突起３１ｆは、回転軸２ｃについて、切欠き３１ｃと反対側の壁面から突出する形状であって、第一取付突起２１が第一取付突起保持部３１の切欠き３１ｃから、切欠き３１ｃの壁面に面２１ｂが沿うように挿入された際に、その面２１ｂに沿った面を具備している。一方、突起３１ｇは、第一取付突起２１が切欠き３１ｃから挿入された後に、第一取付突起２１を第一管路２ａが内周面３１ａの開口３１ｂと合致する位置における面２１ｂに沿った面を具備している。これにより、第一取付突起２１が第一取付突起保持部３１の切欠き３１ｃから挿入された際、突起３１ｆの面が第一取付突起２１の面２１ｂと接触して第一取付突起２１が適正な回転方向に回転するように第一取付突起２１の移動方向を規制し（図５Ｃ）、そこから第一取付突起２１を回転させると、突起３１ｇの面が第一取付突起２１の面２１ｂと接触して第一取付突起２１の移動方向を規制し、その箇所にて第一取付突起２１を第一管路２ａが内周面３１ａの開口３１ｂと合致するようになる（図５Ｄ）。
【００２６】
（実施の形態２）
続いて、図６から図１０を参照して、本願発明の実施の形態２について説明する。図６は、本発明の実施の形態２において、フィルタにより流体の濾過に使用する濾過装置におけるフィルタ容器着脱装置６を示している。フィルタ容器着脱装置６は、マニホールド３に取り付けられていて、フィルタが内蔵されているフィルタ容器２の着脱をする着脱装置である点は同一である。以下、実施の形態２では、実施の形態１と異なる点について説明する。
【００２７】
実施の形態１では一の上流管路４が配置されていたのに対し、実施の形態２では、複数系統の複数の管路から構成させることもできる。すなわち、実施の形態２では、たとえば上流管路４として別系統の２つの管路を有するようにしている点である。すなわち、上流管路４は、第一上流管路４ａと第二上流管路４ｂとを有し、それぞれが第一取付突起保持部３１に、流体的に接続されている。第一上流管路４ａと第二上流管路４ｂとは、同一の流体を流しても良いし、異なる流体を流しても良い。実施の形態２では、第一取付突起２１が、第一上流管路４ａ、または第二上流管路４ｂとの間で、流路の切り替えを行うことが出来る点が異なる。また、下流管路５も、上流管路４と同様に、複数系統の複数の管路としてもよい。
【００２８】
第一上流管路４ａは第一取付突起保持部３１の内周面３１ａに開口３１ｂを形成するように連通している。一方、第二上流管路４ｂは第一取付突起保持部３１の内周面３１ａに開口３１ｄを形成するように連通している。開口３１ｂと開口３１ｄは、フィルタ容器２をマニホールド３に取り付けた状態において、回転中心軸２ｃ周りに、異なる位置に配置されている（図９）。
【００２９】
一方、実施の形態１と異なり、下流管路５は第二取付突起保持部３２に取り付けられない。フィルタ容器２には、実施の形態１における第二取付突起２２の代わりに、取付突起２３が配置されている。取付突起２３には、フィルタが内部に配置される内部空間につながる円筒形の流路口２３ａが取り付けられている。流路口２３ａは、フィルタ容器２に直接取り付けることもできる。この場合には、取付突起２３を回転可能に保持する第二取付突起保持部３２は不要となる。流路口２３ａの位置は、取付突起２３は、回転中心軸２ｃ周りの角度依存性がない。たとえば、流路口２３ａは回転中心軸２ｃの方向に延在するように配置される。第二取付突起保持部３２側には、保持ブロック３３が取り付けられる。保持ブロック３３は、流路口２３ａを回転可能に受容し、上流管路４が流体的に接続される孔３３ａを有している。これにより、フィルタ容器２を回転中心軸２ｃ周りに回転させても、流路口２３ａは常に下流管路５と流体的につながることができる。ここでは、上流管路４を鉛直方向下側と下流管路５を鉛直方向上側とした実施の形態として説明したが、逆に鉛直方向上側を上流管路４と鉛直方向下側を下流管路５としてもよい。
【００３０】
続いて、実施の形態２の着脱装置について説明する。フィルタ容器２をマニホールド３に取り付ける。このとき、フィルタ容器２は、第一取付突起２１を第一取付突起保持部３１の切欠き３１ｃ内に、第二取付突起２２を第二取付突起保持部３２の切欠き３２ｃ内に、それぞれ挿入するように、マニホールド３に取り付ける。このとき、第一取付突起２１は、切欠き３１ｃの壁面に面２１ｂが沿うように、曲面２１ａの一方が第一取付突起保持部３１の内周面３１ａに接触するまで挿入される。ここで、フィルタ容器２を全体的に下げて、フィルタ容器２の排出取付突起２３を排出ブロック３３の孔３３ａに挿入する。これにより、下流管路５と第二管路２ｂは常に流体的に接続する。また、このときは、フィルタ容器管路孔２１ｃの位置は、第一取付突起保持部３１の内周面３１ａの開口３１ｂの位置と、合致していない。この状態では、上流管路４は第一管路２ａとは接続しておらず、上流管路４と第一管路２ａとは流体的に接続していない点で実施の形態１と同様である。
【００３１】
続いて、実施の形態１と同様に、フィルタ容器２を、フィルタ容器２の回転中心軸２ｃ周りに、第一管路２ａと第一下流管路４ａとが流体的に接続する位置、すなわち、フィルタ容器管路孔２１ｃが第一取付突起保持部３１の内周面３１ａの開口３１ｂと合致する位置まで回転する（図８）。このとき、シール材２１ｄが第一取付突起保持部３１の内周面３１ａに押しつぶされて、第一取付突起保持部３１の内周面３１ａが第一取付突起２１を挟持する。この状態で、はじめて第一上流管路４ａと第一管路２ａとが流体的に接続する。第一上流管路４ａから第一管路２ａを経てフィルタ容器２内のフィルタを通って、排出口２３ａを経て下流管路５へと至る経路が完成する。
【００３２】
次に、実施の形態２では、この経路から、第二上流管路４ｂから第一管路２ａを経てフィルタ容器２内のフィルタを通って、排出口２３ａを経て下流管路５へと至る経路へと切り替えが可能である。すなわち、第一取付突起保持部３１の内周面３１ａには、第一上流管路４ａの開口３１ｂと異なる位置に第二上流管路４ｂの開口３１ｄが穿設されているので、フィルタ容器２をフィルタ容器２の回転中心軸２ｃ周りに、フィルタ容器管路孔２１ｃが第一取付突起保持部３１の内周面３１ａの開口３１ｄとが合致する位置まで回転する（図１０）。すなわち、第一管路２ａと第二上流管路４ｂとが流体的に接続する位置まで回転させる。これにより、第一管路２ａと第一上流管路４ａとの接続が絶たれて、第二上流管路４ｂから第一管路２ａを経てフィルタ容器２内のフィルタを通って、排出口２３ａを経て下流管路５へと至る経路が完成する。
【符号の説明】
【００３３】
１，６  フィルタ容器着脱装置
２      フィルタ容器
３      マニホールド
４      上流管路
４ａ    第一上流管路
４ｂ    第二上流管路
５      下流管路
２１    第一取付突起
２２    第二取付突起
３１    第一取付突起保持部
３２    第二取付突起保持部
【図１】
0006803404.tif 000002
【図２】
0006803404.tif 000003
【図３】
0006803404.tif 000004
【図４Ａ】
0006803404.tif 000005
【図４Ｂ】
0006803404.tif 000006
【図４Ｃ】
0006803404.tif 000007
【図５Ａ】
0006803404.tif 000008
【図５Ｂ】
0006803404.tif 000009
【図５Ｃ】
0006803404.tif 000010
【図５Ｄ】
0006803404.tif 000011
【図６】
0006803404.tif 000012
【図７】
0006803404.tif 000013
【図８】
0006803404.tif 000014
【図９】
0006803404.tif 000015
【図１０】
0006803404.tif 000016